【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
音声によって動作指示を入力する音声入力手段と、
ユーザが操作することによって動作指示を入力する操作手段と、
前記音声入力手段によって入力された動作指示、及び前記操作手段によって入力された動作指示の少なくとも何れか一方に従って、データを処理するデータ処理手段と、
前記音声入力手段によって入力された動作指示に基づいて処理を行う場合に、当該処理が特定の処理であるか否かを判定する判定手段とを有し、
前記データ処理手段は、前記判定手段により特定の処理であると判定された場合には、前記音声入力手段によって入力された動作指示に従う処理から、前記操作手段によって入力された動作指示に従う処理に切り替えることを特徴とするデータ処理装置。
【請求項２】
前記音声入力手段によって入力された動作指示の情報を認識する認識手段と、
特定の動作指示の情報を記憶媒体に登録する登録手段とを有し、
前記判定手段は、前記認識手段により認識された動作指示の情報が、前記登録手段により登録された情報であるか否かを判定し、
前記データ処理手段は、前記認識手段により認識された動作指示の情報が、前記登録手段により登録された情報であると前記判定手段により判定された場合に、前記音声入力手段によって入力された動作指示に従う処理から、前記操作手段によって入力された動作指示に従う処理に切り替えることを特徴とする請求項１に記載のデータ処理装置。
【請求項３】
前記音声入力手段によって入力された動作指示に従う処理から、前記操作手段によって入力された動作指示に従う処理に切り替わる際に、前記操作手段の操作を促すための音声ガイダンスを行う報知手段を有することを特徴とする請求項１又は２に記載のデータ処理装置。
【請求項４】
前記データ処理手段は、前記音声入力手段によって入力された動作指示、及び前記操作手段によって入力された動作指示の何れか一方に従って、画像データを形成するための処理を行うことを特徴とする請求項１〜３の何れか１項に記載のデータ処理装置。
【請求項５】
前記特定の処理は、パスワードを入力する処理であることを特徴とする請求項１〜４の何れか１項に記載のデータ処理装置。
【請求項６】
前記データ処理手段は、前記音声入力手段によって入力された動作指示に従う処理から、前記操作手段によって入力された動作指示に従う処理に切り替え、前記特定の処理が実行された後、再び、前記音声入力手段によって入力された動作指示に従う処理に戻すことを特徴とする請求項１〜５の何れか１項に記載のデータ処理装置。
【請求項７】
音声によって動作指示を入力する音声入力ステップと、
ユーザが操作手段を操作することによって動作指示を入力する操作内容入力ステップと、
前記音声入力ステップによって入力された動作指示、及び前記操作内容入力ステップによって入力された動作指示の少なくとも何れか一方に従って、データを処理するデータ処理ステップと、
前記音声入力ステップによって入力された動作指示に基づいて処理を行う場合に、当該処理が特定の処理であるか否かを判定する判定ステップとを有し、
前記データ処理ステップは、前記判定ステップにより特定の処理であると判定された場合には、前記音声入力ステップによって入力された動作指示に従う処理から、前記操作内容入力ステップによって入力された動作指示に従う処理に切り替えることを特徴とするデータ処理方法。
【請求項８】
音声によって動作指示を入力する音声入力ステップと、
ユーザが操作手段を操作することによって動作指示を入力する操作内容入力ステップと、
前記音声入力ステップによって入力された動作指示、及び前記操作内容入力ステップによって入力された動作指示の少なくとも何れか一方に従って、データを処理するデータ処理ステップと、
前記音声入力ステップによって入力された動作指示に基づいて処理を行う場合に、当該処理が特定の処理であるか否かを判定する判定ステップとをコンピュータに実行させるためのコンピュータプログラムであって、
前記データ処理ステップは、前記判定ステップにより特定の処理であると判定された場合には、前記音声入力ステップによって入力された動作指示に従う処理から、前記操作内容入力ステップによって入力された動作指示に従う処理に切り替えることを特徴とするコンピュータプログラム。
【手続補正２】
【補正対象書類名】明細書
【補正対象項目名】０００８
【補正方法】変更
【補正の内容】
【０００８】
本発明のデータ処理装置は、音声によって動作指示を入力する音声入力手段と、ユーザが操作することによって動作指示を入力する操作手段と、前記音声入力手段によって入力された動作指示、及び前記操作手段によって入力された動作指示の少なくとも何れか一方に従って、データを処理するデータ処理手段と、前記音声入力手段によって入力された動作指示に基づいて処理を行う場合に、当該処理が特定の処理であるか否かを判定する判定手段とを有し、前記データ処理手段は、前記判定手段により特定の処理であると判定された場合には、前記音声入力手段によって入力された動作指示に従う処理から、前記操作手段によって入力された動作指示に従う処理に切り替えることを特徴とする。
【手続補正３】
【補正対象書類名】明細書
【補正対象項目名】０００９
【補正方法】変更
【補正の内容】
【０００９】
本発明のデータ処理方法は、音声によって動作指示を入力する音声入力ステップと、ユーザが操作することによって動作指示を入力する操作内容入力ステップと、前記音声入力ステップによって入力された動作指示、及び前記操作内容入力ステップによって入力された動作指示の少なくとも何れか一方に従って、データを処理するデータ処理ステップと、前記音声入力ステップによって入力された動作指示に基づいて処理を行う場合に、当該処理が特定の処理であるか否かを判定する判定ステップとを有し、前記データ処理ステップは、前記判定ステップにより特定の処理であると判定された場合には、前記音声入力ステップによって入力された動作指示に従う処理から、前記操作内容入力ステップによって入力された動作指示に従う処理に切り替えることを特徴とする。
【手続補正４】
【補正対象書類名】明細書
【補正対象項目名】００１０
【補正方法】変更
【補正の内容】
【００１０】
本発明のコンピュータプログラムは、音声によって動作指示を入力する音声入力ステップと、ユーザが操作することによって動作指示を入力する操作内容入力ステップと、前記音声入力ステップによって入力された動作指示、及び前記操作内容入力ステップによって入力された動作指示の少なくとも何れか一方に従って、データを処理するデータ処理ステップと、前記音声入力ステップによって入力された動作指示に基づいて処理を行う場合に、当該処理が特定の処理であるか否かを判定する判定ステップとをコンピュータに実行させるためのコンピュータプログラムであって、前記データ処理ステップは、前記判定ステップにより特定の処理であると判定された場合には、前記音声入力ステップによって入力された動作指示に従う処理から、前記操作内容入力ステップによって入力された動作指示に従う処理に切り替えることを特徴とする。
【手続補正５】
【補正対象書類名】明細書
【補正対象項目名】００１１
【補正方法】変更
【補正の内容】
【００１１】
本発明によれば、特定の処理を行う際には、音声による動作指示に従う処理から、操作手段の操作による動作指示に従う処理に切り替え、操作手段の操作内容に従ってデータを処理するようにしたので、秘密を保持する必要のある情報については、他人に聞かれないように操作手段による動作指示を行わせるようにし、それ以外の情報については、音声による動作指示を行わせることが可能になる。これにより、動作指示を音声によって行うことができる装置において、パスワード等の機密情報の漏洩を防止することができる。